(57)【要約】      （修正有）【課題】フロアマットのズレ防止について、マット裏面に多数のズレ防止用突起の設置では、該突起がズレ防止効果は確実でなく、ファーストカーペットに損害を与え、マット裏面のフックの引っ掛けでは、マットに加わる力の大きさや方向によっては左右や斜めにズレることがあり、新しいフロアマットを取り換えるときに、加工しなければ取り換えできず、不便なことになる。前述のフロアマットのズレ防止の欠点を改善する自動車用フロアーマットを提供する。【解決手段】フロアーマット１０は、少なくとも１つのバッキング層２０と、１つのずれ止め層３０と、で構成され、前記ずれ止め層３０は、合成繊維糸と、基礎繊維糸と、の編み込みで形成され、前記合成繊維糸が、合成繊維糸と基礎繊維糸で構成された基布層Ａの外部に、特定の高さで延伸して、且つ一定の剛性を持ち、前記バッキング層２０とずれ止め層３０とが、粘着剤で粘着し、或いは熱で融合粘着で結合する。【選択図】図２
2011111053.tif 000002
【特許請求の範囲】
【請求項１】
自動車用フロアーマットであって、前記フロアーマットは、少なくとも、１つのバッキング層と、１つのずれ止め層と、で構成され、
前記ずれ止め層は、合成繊維糸と、基礎繊維糸と、の編み込みで形成られ、前記合成繊維糸が、合成繊維糸と基礎繊維糸で構成された基布層の外部に、特定の高さで延伸して、且つ一定の剛性を持ち、
前記バッキング層とずれ止め層とが、粘着剤で粘着し、或いは熱で融合粘着で結合することを特徴とする自動車用フロアーマット。
【請求項２】
前記バッキング層は、混合ポリエチレン（XPE）の発泡材質を含む、単一の発泡材質で造られることを特徴とする請求項１に記載の自動車用フロアーマット。
【請求項３】
前記バッキング層は、ポリエチレン（PE）の発泡材質を含む、単一の発泡材質で造られることを特徴とする請求項１に記載の自動車用フロアーマット。
【請求項４】
前記バッキング層は、エチレン酢ビコポリマー（EVA）の発泡材質を含む、単一の発泡材質で造られることを特徴とする請求項１に記載の自動車用フロアーマット。
【請求項５】
前記バッキング層は、ポリウレタン（PU）の発泡材質を含む、単一の発泡材質で造られることを特徴とする請求項１に記載の自動車用フロアーマット。
【請求項６】
前記バッキング層は、絨毯材質で造られることを特徴とする請求項１に記載の自動車用フロアーマット。
【請求項７】
前記バッキング層は、熱可塑性エラストマー（TPE）材質で造られることを特徴とする請求項１に記載の自動車用フロアーマット。
【請求項８】
前記バッキング層は、熱可塑性ゴム（TPR）材質で造られることを特徴とする請求項１に記載の自動車用フロアーマット。
【請求項９】
前記バッキング層は、塩化ビニル樹脂（PVC）材質で造られることを特徴とする請求項１に記載の自動車用フロアーマット。
【請求項１０】
前記バッキング層の上に、もう１つの表面層を設置られることを特徴とする請求項１に記載の自動車用フロアーマット。
【請求項１１】
前記ずれ止め層は、複数の合成繊維糸と、柔軟な基礎繊維糸と、からなり、各合成繊維糸が、U形に撓め、環部と、２つの延伸されたパイル糸と、を形成し、各自の環部が、まえの環部を絡み、末端が延伸して、特定長さのパイル糸となり、基布層の外部まで延伸することを特徴とする請求項１に記載の自動車用フロアーマット。
【請求項１２】
前記合成繊維糸は、ポリプロピレン（PP）で造られることことを特徴とする請求項１１に記載の自動車用フロアーマット。
【請求項１３】
前記合成繊維糸は、ポリエチレン（PE）で造られることことを特徴とする請求項１１に記載の自動車用フロアーマット。
【発明の詳細な説明】
【技術分野】
【０００１】
本発明は自動車用フロアーマットに関し、詳細には、車両の床面に敷設されるパイルカーペットの上に、使用するフロアマットのズレ防止構造に関する。
【背景技術】
【０００２】
従来より、車両の床面にはカット形態のパイルが所定のボリュームとなるように基布にタフトされたのタフテッドカーペット（Tufted Carpet）、編みされたのニットカーペット（Needle Punched Carpet）、などのファーストカーペットが敷設されている。
このファーストカーペットは、一般に車内の床面全面にそのままで或いは接着剤などを介して敷設されるため、埃やゴミなどで汚れた場合でも、簡単に取り外して清掃することができない。このため、車両床面には、埃やゴミが直接パイルカーペットに付かないようにするため、ファーストカーペット上面に取り外し自在なフロアマットが載置される。
この車両床面の上面に載置されるフロアマットはズレやすく、そのズレが交通事故にも繋がる可能性があるため、従来よりそのズレ防止対策がなされていた。
従来よりそのズレ防止対策は、マット裏面に多数のズレ防止用突起が設けられていて、この突起がファーストカーペットのタフトされたパイル間に入り込み、これにより、当該フロアマットのズレを防止するようになっていた。
或いは、マット縁部に貫通孔が設けられていて、この貫通孔に床面に突設されたフックを引っかけることで、当該マットのズレ防止性を高めていた。
【発明の開示】
【発明が解決しようとする課題】
【０００３】
前述公知のフロアマットのズレ防止について、マット裏面に多数のズレ防止用突起を設置では、該突起がズレ防止効果は確実でなくの上、高級なファーストカーペットに損害を与え、マット裏面のフックの引っ掛けでは、マットに加わる力の大きさや方向によっては左右や斜めにズレたりすることがあり、まして、新しいフロアマットを取り換えるときに、加工しなければ取り換えることもできなくて、不便なことになる。
本発明の目的は、前述公知のフロアマットのズレ防止の欠点を改善する自動車用フロアーマットを提供することにある。
【課題を解決するための手段】
【０００４】
フロアーマットは、少なくとも、１つのバッキング層と、１つのずれ止め層と、で構成され、前記ずれ止め層は、合成繊維糸と、基礎繊維糸と、の編み込みで形成られ、前記合成繊維糸が、合成繊維糸と基礎繊維糸で構成された基布層の外部に、特定の高さで延伸して、且つ一定の剛性を持ち、前記バッキング層とずれ止め層とが、粘着剤で粘着し、或いは熱で融合粘着で結合する。
前述バッキング層は、発泡材質からなる場合には、発泡材質が、混合ポリエチレン（XPE）と、ポリエチレン（PE）と、エチレン酢ビコポリマー（EVA）と、ポリウレタン（PU）と、どれか１つで造られても良い。
また、前述バッキング層は、熱可塑性エラストマー（TPE）と、熱可塑性ゴム（TPR）と、塩化ビニル樹脂（PVC）と、どれか１つで造られても良い。
前述ずれ止め層は、複数の合成繊維糸と、柔軟な基礎繊維糸と、からなり、前記各合成繊維糸を、U形に撓め、環部と、２つの延伸されたパイル糸２２と、を形成され、各自の環部が、まえの環部を絡み、末端が延伸してパイル糸となり、基布層の外部まで延伸し、該基布層は、合成繊維糸と、基礎繊維糸と、の編み込みで形成られ、各自の基礎繊維糸が、まえの合成繊維糸と、基礎繊維糸と、を絡み、強固な基布層と構成され、合成繊維糸は、ナイロンと、ポリエステルと、ポリプロピレン（PP）と、ポリエチレン（PE）と、どれか１つで造られても良い。
【発明の効果】
【０００５】
本発明により、フロアーマットは、柔軟さと軽さを有し、通気性と弾力性を具備し、ずれ止め効果高く、カーペットの上に、繰り返して貼り付けと取り外すことをしても、カーペットに損害を与えない。詳しいのは、下記のようである。
１．重量は低いので省エネの利点がある。
２．ずれ止め効果高くが、カーペットに損害を与えない。
３．製造コストは低いので、市場に競争力が高める。
【発明を実施するための最良の形態】
【０００６】
図１，２に示すように、本発明のフロアーマット１０の構造は、少なくとも、１つのバッキング層２０と、１つのずれ止め層３０と、で構成され、該バッキング層２０は、発泡材質と、絨毯と、熱可塑性エラストマー（TPE）と、熱可塑性ゴム（TPR）と、塩化ビニル樹脂（PVC）と、どれか１つで造られ、または、これらを複数種混合した混合物などからなれ、各層部材を粘着剤で粘着し、或いは熱で融合粘着し、ずれ止め効果を具備するフロアーマットになるとともに、製造コスト削減もできる。
図３，４に、本発明の第２実施例を開示する。フロアーマット１０の構造は、１つのバッキング層２０と、１つのずれ止め層３０と、１つの表面層４０と、で構成され、表面層４０は、絨毯と、熱可塑性エラストマー（TPE）と、熱可塑性ゴム（TPR）と、塩化ビニル樹脂（PVC）と、どれか１つで造られても良い（図３を参照）。
前述表面層４０は、絨毯からなる場合には、絨毯の材質が、ポリプロピレン繊維と、ポリエステル繊維からなり、或いは、ナイロンと、塩化ビニル樹脂（PVC）からなるでも良い。
前述バッキング層２０は、発泡材質からなる場合には、発泡材質が、混合ポリエチレン（XPE）と、ポリエチレン（PE）と、エチレン酢ビコポリマー（EVA）と、ポリウレタン（PU）と、どれか１つで造られても良い、発泡材質のバッキング層２０が、遮音性を有する。
また、前述バッキング層２０は、熱可塑性エラストマー（TPE）と、熱可塑性ゴム（TPR）と、塩化ビニル樹脂（PVC）と、どれか１つで造られても良い。
図７〜９に示すように、本発明のずれ止め層３０は、複数の合成繊維糸２０a，２０bと、柔軟な基礎繊維糸３０a，３０bと、からなる。前記各合成繊維糸２０a，２０bを、U形に撓め、環部２１と（図８に参照）、２つの延伸されたパイル糸２２（図９に参照）と、を形成され、各自の環部２１が、まえの環部２１を絡み、末端が延伸してパイル糸２２となり、基布層Aの外部まで延伸する。該基布層Aは、合成繊維糸２０a，２０bと、基礎繊維糸３０a，３０bと、の編み込みで形成られ、各自の基礎繊維糸３０a，３０bが、まえの合成繊維糸２０a，２０bと、基礎繊維糸３０a，３０bと、を絡み、強固な基布層Aと構成される。合成繊維糸２０a，２０bは、ナイロンと、ポリエステルと、ポリプロピレン（PP）と、ポリエチレン（PE）と、どれか１つで造られても良い。
従って、本発明のフロアーマットは、柔軟さと軽さを有し、通気性と弾力性を具備し、ずれ止め効果高く、カーペットの上に、繰り返して貼り付けと取り外すことをしても、カーペットに損害を与えない。
【図面の簡単な説明】
【０００７】
【図１】本発明の第１実施例の分離斜視図である。
【図２】本発明の第１実施例の断面図である。
【図３】本発明の第２実施例の分離斜視図である。
【図４】本発明の第２実施例の断面図である。
【図５】本発明の底面斜視図である。
【図６】本発明のもう１つの底面斜視図である。
【図７】本発明のずれ止め材料の部分拡大図である。
【図８】本発明の基布層と繊維糸の編み込みの説明図である。
【図９】本発明のずれ止め材料の部分断面図である。
【符号の説明】
【０００８】
Ａ     基布層
１０   フロアマット
２０   バッキング層
２０a  合成繊維糸
２０b  合成繊維糸
２１   環部
２２   パイル糸
３０   ずれ止め層
３０a  基礎繊維糸
３０b  基礎繊維糸
４０   表面層
【図１】
2011111053.tif 000003
【図２】
2011111053.tif 000004
【図３】
2011111053.tif 000005
【図４】
2011111053.tif 000006
【図５】
2011111053.tif 000007
【図６】
2011111053.tif 000008
【図７】
2011111053.tif 000009
【図８】
2011111053.tif 000010
【図９】
2011111053.tif 000011